(57)【要約】【課題】シャットダウンシーケンスを行うコントローラが正常に動作しない状態で、ユーザにより装置の電源スイッチがオフされた場合でも、ユニット毎に最適なタイミングで電力の供給を遮断すること。【解決手段】２次スイッチ３０７をオフしてから設定時間後に電源をオフするタイマ回路をユニット毎に設け（タイマ回路１、２）、それぞれ個別に機能させる。タイマ回路２は、２次スイッチ３０７が押下されてからシャットダウンシーケンス終了より短い時間の経過後に、高圧電源部３０３に供給されるＡＣ電圧を遮断する。タイマ回路１は、２次スイッチ３０７が押下されてからシャットダウンシーケンスが終了するよりも長い時間の経過後に、コントローラ２０１及びエンジン制御部３０４へ供給される電源（３．３ＶＢ）を遮断する。【選択図】図３
2015052833.tif 000002
【特許請求の範囲】
【請求項１】
情報処理装置であって、
手動で前記情報処理装置の電源をオフするための電源スイッチと、
電力の供給を個別に遮断可能な複数のユニットと、
前記電源スイッチがオフされた場合に、シャットダウン処理を行い、前記各ユニットへの電力の供給を遮断する制御を行う制御手段と、
前記複数のユニットにそれぞれ対応する複数のタイマ回路であって、前記電源スイッチがオフされてから、それぞれ個別の設定時間の経過後に、対応するユニットへの電力の供給をそれぞれ遮断する複数のタイマ回路と、
を有することを特徴とする情報処理装置。
【請求項２】
前記複数のユニットは、前記制御手段を含む制御ユニットと、前記制御ユニットよりも高圧の電源が供給される高圧ユニットとを含み、
前記制御ユニットに対応するタイマ回路は、前記シャットダウン処理が終了する時間より長い時間が経過した場合に前記制御ユニットへの電力の供給を遮断し、前記高圧ユニットに対応するタイマ回路は、前記シャットダウン処理が終了される時間より短い時間が経過した場合に前記高圧ユニットへの電力の供給を遮断することを特徴とする請求項１に記載の情報処理装置。
【請求項３】
前記制御ユニットに対応するタイマ回路は、前記設定時間を変更可能なことを特徴とする請求項２に記載の情報処理装置。
【請求項４】
前記情報処理装置は、画像形成装置であり、
前記高圧ユニットは、画像形成部を含むことを特徴とする請求項２又は３に記載の情報処理装置。
【請求項５】
前記各タイマ回路は、コンデンサと抵抗器を用いた時定数の回路により計時を行うことを特徴とする請求項１乃至４のいずれか１項に記載の情報処理装置。
【請求項６】
前記各タイマ回路は、タイマＩＣであることを特徴とする請求項１乃至４のいずれか１項に記載の情報処理装置。
【請求項７】
手動で装置の電源をオフするための電源スイッチと、電力の供給を個別に遮断可能な複数のユニットと、前記電源スイッチがオフされた場合に、シャットダウン処理を行い、前記各ユニットへの電力の供給を遮断する制御を行う制御手段とを有する情報処理装置の電源制御方法であって、
前記複数のユニットにそれぞれ対応する複数のタイマ回路が、前記電源スイッチがオフされてから、それぞれ個別の設定時間の経過後に、対応するユニットへの電力の供給をそれぞれ遮断するステップを有することを特徴とする情報処理装置の電源制御方法。
【発明の詳細な説明】
【技術分野】
【０００１】
本発明は、画像形成装置等の情報処理装置の電源制御に関するものである。
【背景技術】
【０００２】
近年、プリンタ電源の制御及びコストダウンの観点から、プリンタに供給する１次側（ＡＣ電圧）電圧を遮断するための１次側電源スイッチを持たず、２次側電源だけに電源ＯＮ／ＯＦＦのスイッチ（２次スイッチ）を持つプリンタが見られる。
【０００３】
この様なプリンタにおいては、２次スイッチのＯＮ／ＯＦＦをＣＰＵが監視しているため、ＣＰＵが暴走やフリーズした際、電源スイッチをＯＦＦしても電源を切ることができない。このため、ＣＰＵが暴走等した際、強制的に電源をＯＦＦするように、２次側の電源スイッチをＯＦＦした時、一定時間経過した後、自動的に電源が切れる様に、電源ＯＦＦタイマがセットされているものがある。
【０００４】
特許文献１には、電源スイッチがオフされた際、ワークステーションにシャットダウンシーケンスを開始させ、一定時間後にワークステーションへの供給電源を強制的に遮断するシャットダウン装置が提案されている。
【先行技術文献】
【特許文献】
【０００５】
【特許文献１】特開平１０−７８８３２号公報
【発明の概要】
【発明が解決しようとする課題】
【０００６】
通常、コントローラ側でシャットダウンシーケンスを行う場合、システム、メモリ等、多くの複雑なシステムを特定の順序でシャットダウンしなければならない。そのため、シャットダウンシーケンスに必要な時間を見積もり、必要な時間を電源ＯＦＦタイマにセットする。しかし、システムの複雑化に伴い、シャットダウンシーケンスに必要な時間が長くなっているため、電源ＯＦＦタイマにセットする時間も長くなってしまう。このため、プリンタなどの高圧部に供給されている電圧を遮断するまでに時間がかかってしまう。このように、従来の画像形成装置では、ＣＰＵが暴走などした場合、ユーザが電源スイッチをオフしても、高圧部等の電源が遮断されるまでに時間がかかってしまっていた。
【０００７】
本発明は、上記の問題点を解決するためになされたものである。本発明の目的は、シャットダウン処理を行うコントローラが正常に動作しない状態で、ユーザにより装置の電源スイッチがオフされた場合でも、ユニット毎に最適なタイミングで電力の供給を遮断することができる仕組みを提供することである。
【課題を解決するための手段】
【０００８】
本発明は、情報処理装置であって、手動で前記情報処理装置の電源をオフするための電源スイッチと、電力の供給を個別に遮断可能な複数のユニットと、前記電源スイッチがオフされた場合に、シャットダウン処理を行い、前記各ユニットへの電力の供給を遮断する制御を行う制御手段と、前記複数のユニットにそれぞれ対応する複数のタイマ回路であって、前記電源スイッチがオフされてから、それぞれ個別の設定時間の経過後に、対応するユニットへの電力の供給をそれぞれ遮断する複数のタイマ回路と、を有することを特徴とする。
【発明の効果】
【０００９】
本発明によれば、シャットダウン処理を行う制御手段が正常に動作しない状態で、ユーザにより電源スイッチがオフされた場合でも、ユニット毎に最適なタイミングで電力の供給を遮断することができる。この結果、ＣＰＵ等が暴走等した状態で、ユーザが電源スイッチをオフした場合でも、高圧部への電力の供給を素早く遮断することができる。
【図面の簡単な説明】
【００１０】
【図１】本発明の一実施例を示す画像形成装置の全体構成を例示する図。
【図２】本実施例の画像形成装置の電源制御の構成の一例を示す図である。
【図３】電源制御部内の電源ＯＦＦ時の制御を例示する図。
【図４】実施例１のタイマ回路２の回路構成を例示する図。
【図５】実施例１のタイマ回路１の回路構成を例示する図。
【図６】電源ＯＦＦ時のタイミングを例示するタイミングチャート。
【図７】実施例２のタイマ回路１の回路構成を例示する図。
【発明を実施するための形態】
【００１１】
以下に添付の図面を用いて本発明の実施例について説明する。
【実施例１】
【００１２】
図１は、本発明の一実施例を示す画像形成装置の構成の一例を示す図である。
図１において、２は、本実施例の画像形成装置を示すプリンタである。プリンタ２は、ホストコンピュータ等の各種外部装置よりデータを入力し、記録媒体上への記録を実行する。本実施例では、プリンタ２をレーザビームプリンタとして説明するが、他のプリント方式であってもよい。以下、本実施例を適用するレーザビームプリンタの構成について説明する。
【００１３】
プリンタ２は、外部に接続されているホストコンピュータから供給される印字情報（文字コード等）やフォームパターン情報あるいは圧縮された画像データなどを入力する。プリンタ２は、入力された画像データを記憶すると共に、それらの情報に従って対応する文字パターンやフォームパターン等を作成し、または圧縮された画像データを展開しながら、記憶媒体である記録紙上に像を形成する。
【００１４】
２００は操作パネルで、各種操作のためのスイッチ及びＬＥＤ表示器などが配置されている。２０１はプリンタ制御ユニット（以下、コントローラ）で、プリンタ２における全体の制御を実行すると共に、ホストコンピュータ等から供給される文字情報などを解析する。コントローラ２０１は、主に文字情報を、対応する文字パターンのビデオ信号に変換あるいは、圧縮された画像データを展開しながらレーザスキャナユニット２０９に転送する。
【００１５】
プリントが開始されると、プリンタ２は、給紙カセット２０２あるいは手差しトレイ２０３より記録紙を装置内に給送するための給紙動作を開始する。こうして給紙された記録紙は、紙送りユニット２０４に送られ、現像ユニット２０５、２０６、２０７、２０８を順次通過するように搬送される。このとき同時に、コントローラ２０１で展開された各色毎の画像データは、画像変換処理が行われた後、レーザスキャナユニット２０９に送られる。
【００１６】
レーザスキャナユニット２０９は、半導体レーザを駆動するための回路であり、入力された画像データに応じて半導体レーザから発射されるレーザ光のＯＮ/ＯＦＦを切り替える。レーザスキャナユニット２０９に送られた画像データは、各色毎に、その画像データに基づいて現象ユニット２０５、２０６、２０７、２０８の感光ドラムがレーザスキャンされ、各色に対応する感光ドラム上に所望のカラー画像が形成される。この各色毎の画像データの形成を、記録紙の搬送に同期させることにより、搬送ユニット２０４を搬送される記録紙上に各色のカラー画像が現像される。
【００１７】
また、現像ユニット２０５、２０６、２０７、２０８には、トナーの残量を検知するセンサーが取り付けられており、トナーの減少に応じて、センサーからの情報が記録部の制御系に送られる。こうしてカラー画像が印刷された記録紙は、定着ユニット２１０によって熱定着が行われ、給紙トレイ２１１に排紙される。このようなプリンタ２の構成により、各色毎に独立して現像ができるために、非常に高速にプリント画像をえることができる。
【００１８】
図２は、プリンタ２の電源制御の構成の一例を示す図である。
３０２は電源部であり、インレット３０６に接続された電源コードを介して外部からＡＣ電源が供給される。電源部３０２にインレット３０６からＡＣ電源が供給されると、電源部３０２は、電源制御部３０１に対して、例えば３．３Ｖを供給する（以下、この電圧を３．３ＶＡと記す）。
【００１９】
電源制御部３０１に３．３ＶＡが供給されると、電源制御部３０１は、２次スイッチ３０７が押下されたか否かを監視する状態に移行する。２次スイッチ３０７は、ユーザが手動でプリンタ２の電源をオフするための電源スイッチである。２次スイッチ３０７が押下されると（オンされると）、電源制御部３０１は、例えば３．３Ｖをコントローラ２０１に供給する（以下、この電圧を３．３ＶＢと記す）。また、電源制御部３０１では、エンジン制御部３０４への３．３ＶＢの供給及び、ＡＣ電圧開閉スイッチ３０５の制御を行う。即ち、３．３ＶＢは、コントローラ２０１やエンジン制御部３０４を含むユニットへ供給される電源である。なお、ＡＣ電圧開閉スイッチ３０５は、高圧電源部３０３に供給されるＡＣ電圧を接続（閉状態）又は遮断（開状態）するものである。
【００２０】
エンジン制御部３０４では、プリンタの駆動系、及び高圧系の制御を行っている。高圧電源部３０３では、ＡＣ電圧開閉スイッチ３０５から供給されるＡＣ電圧を、プリンタ２で使用する各種電圧に変換し、必要なユニットに供給している。例えば、高圧電源部３０３では、図１で説明したような電子写真方式の画像形成を記録紙に行うための画像形成部（高圧部及び駆動部を含む）等のユニットへ電源供給を行っている。高圧電源部３０３は、例えば上述したコントローラ２０１やエンジン制御部３０４を含むユニットへ供給される３．３ＶＢよりも、高電圧の電源を供給する。
【００２１】
通常、プリンタ電源をＯＦＦする動作においては、まず、プリンタ２の電源をＯＦＦするために、２次スイッチ３０７が押下されると、２次スイッチ３０７が押下されたことを示す情報としてスイッチ信号１が、電源制御部３０１に伝達される。電源制御部３０１では、２次スイッチ３０７が押されたことを確認すると、スイッチ信号２をコントローラ２０１に出力する。
【００２２】
スイッチ信号２を受けたコントローラ２０１は、エンジン制御部３０４と通信した後、制御信号２を電源制御部３０１に送ると共に、シャットダウンシーケンスを開始する。制御信号２を受けた電源制御部３０１は、接続信号２をＡＣ電圧開閉スイッチ３０５に出力し、高圧電源部３０３に供給されるＡＣ電圧を遮断する。
【００２３】
コントローラ２０１では、シャットダウンシーケンスの終了を待って、制御信号１を、電源制御部３０１に出力する。制御信号１を受けた電源制御部３０１は、３．３ＶＢの供給を遮断し、プリンタの電源ＯＦＦ状態となる。以上のように、コントローラ２０１は、２次スイッチ３０７がオフされた場合に、シャットダウン処理を行い、各ユニットの電源回路を遮断する制御を行う。なお、コントローラ２０１は、不図示のＣＰＵ、ＲＯＭ、ＲＡＭ等を有し、ＲＯＭ等に記録されたプログラムをＣＰＵが実行することにより、上記制御を行うものである。
【００２４】
次に、図２及び、図３を参照にして、本実施例の動作説明を行う。
図３は、電源制御部３０１内の電源ＯＦＦ時の制御の一例を示すブロック図である。
図２に示したように、プリンタの電源をＯＦＦするために、２次スイッチ３０７が押下されると（オフされると）、２次スイッチ３０７が押下されたことを示す情報としてスイッチ信号１が、電源制御部３０１に伝達される。即ち、２次スイッチ３０７からスイッチ制御回路１０１にスイッチ信号１が入力される。
【００２５】
スイッチ信号１を受けたスイッチ制御回路１０１は、スイッチ信号２をコントローラ２０１に送ると共に、スイッチ信号３をタイマ回路１（１０２）、タイマ回路２（１０３）に出力する。
【００２６】
タイマ回路１（１０２）は、スイッチ信号３を受けてから設定時間の経過後に、３．３Ｖ開閉スイッチ１０４に、接続信号１を出力する機能を持つ。３．３Ｖ開閉スイッチ１０４は、接続信号１により、コントローラ２０１及びエンジン制御部３０４に供給している３．３ＶＢを開閉する（接続又は遮断する）スイッチである。
【００２７】
また、タイマ回路２（１０３）は、スイッチ信号３を受けてから設定時間の経過後に、ＡＣ電圧開閉スイッチ３０５に、接続信号２を出力する機能を持つ。ＡＣ電圧開閉スイッチ３０５は、接続信号２により、高圧電源部３０３に供給されているＡＣ電圧を開閉する（接続又は遮断する）スイッチである。
【００２８】
即ち、スイッチ１０４及び３０５により、コントローラ２０１やエンジン制御部３０４を含むユニットや、画像形成を行う高圧部及び駆動部を含むユニットは、電力の供給を個別に遮断可能な構成となっている。なお、スイッチ１０４及び３０５は、ＦＥＴ（Field effect transistor）やリレー等で構成されている。
【００２９】
コントローラ２０１の機能が暴走またはフリーズしたような状態（異常状態）では、上述した電源ＯＦＦ動作のように、コントローラ２０１にスイッチ信号２を出力しても、制御信号２や制御信号１のリターンが発生しない場合が考えられる。このような場合、本実施例では、タイマ回路２から接続信号２、タイマ回路１から接続信号１を出力し、高圧電源部３０３に供給されるＡＣ電圧や、コントローラ２０１及びエンジン制御部３０４に供給される３．３ＶＢを遮断することができる。以下、タイマ回路２、タイマ回路１について詳細に説明する。
【００３０】
図４は、実施例１のタイマ回路２の回路構成の一例を示すブロック図である。
ＩＣ２はリセットＩＣであり、３．３Ｖ供給時にＩＣ１をリセットする機能を有する。スイッチ制御回路１０１からのスイッチ信号３を受けたＩＣ１は、スイッチ信号３の立ち上りエッジにより、「Ｈ」レベルを出力する。
【００３１】
ＩＣ１より「Ｈ」レベルを受けると、トランジスタＴｒ１はＯＦＦされ、コンデンサＣ１と抵抗器Ｒ２の部品定数（Ｃ１の容量とＲ２の抵抗値）で決定される時定数に応じて、コンパレータＩＣ３の「＋」の電圧が除々に下がって行く。
【００３２】
抵抗器Ｒ３、抵抗器Ｒ４は、コンパレータＩＣ３で「＋」の電圧と比較するための基準電圧を決定している抵抗器である。コンパレータＩＣ３の「＋」側の電圧が「−」側の電圧より低くなったときに、コンパレータＩＣ３は「Ｌ」レベルを出力する。コンパレータＩＣ３から「Ｌ」レベルが出力されると、トランジスタＴｒ２がＯＮされ「Ｈ」レベルが出力される。
【００３３】
ＯＲ回路ＩＣ４は、コントローラ２０１から送信される制御信号２、又はコンパレータＩＣ３から出力される信号のいずれかが「Ｈ」レベルとなると、接続信号２を「Ｈ」レベルで出力する。接続信号２が「Ｈ」レベルになると、ＡＣ電圧開閉スイッチ３０５がオフとなり、高圧電源部３０３に供給されるＡＣ電圧が遮断される。タイマ回路２では、コンデンサＣ１と抵抗器Ｒ２によって時定数の回路が形成される。よって、タイマ回路２の設定時間、即ち、タイマ回路２にスイッチ信号３が入力されてから接続信号２が出力されるまでの時間は、コンデンサＣ１と抵抗器Ｒ２の部品定数によって決定されている。このため、コンデンサＣ１と抵抗器Ｒ２には、高圧部及び駆動部を含むユニットへの電力供給ＯＦＦ処理を考慮した定数の部品が用いられている。
【００３４】
通常、正常動作しているコントローラ２０１は、２次スイッチ３０７が押下され、スイッチ信号２が入力されると、制御信号２を電源制御部３０１に送ると共に、シャットダウンシーケンスの終了を待って、制御信号１を電源制御部３０１に出力する。なお、コントローラ２０１が暴走状態の場合は、制御信号１、制御信号２は不定状態である。
【００３５】
しかし、２次スイッチ３０７が押下されてスイッチ信号３がタイマ回路２に入力されると、コンパレータＩＣ３の[＋]電圧が下がり始め、基準電圧である［−］電圧よりも低くなったときに、トランジスタＴｒ２から「Ｈ」レベルがＯＲ回路ＩＣ４に出力される。よって、コントローラ２０１が暴走し制御信号２が不定状態であっても、ＯＲ回路ＩＣ４から確実に接続信号２が「Ｈ」レベルで出力でき、高圧電源部３０３に供給されるＡＣ電圧を遮断することができる。これにより、高圧電源部３０３から電源供給されるユニットへの電力の供給を遮断することができる。
【００３６】
図５は、実施例１のタイマ回路１の回路構成の一例を示すブロック図である。
図５に示すＩＣ５〜ＩＣ８、Ｔｒ３〜Ｔｒ４、Ｒ６〜Ｒ１０、Ｃ２は、それぞれ、図４に示すＩＣ１〜ＩＣ４、Ｔｒ１〜Ｔｒ２、Ｒ１〜Ｒ５、Ｃ１と同じ機能を持っている。なお、タイマ回路１では、コンデンサＣ２と抵抗器Ｒ７によって時定数の回路が形成される。よって、タイマ回路１の設定時間、即ち、タイマ回路１にスイッチ信号３が入力されてから接続信号１が出力されるまでの時間は、コンデンサＣ２と抵抗器Ｒ７の部品定数（コンデンサＣ２の容量と抵抗器Ｒ７の抵抗値）によって決定されている。このため、コンデンサＣ２と抵抗器Ｒ７には、コントローラ２０１及びエンジン制御部３０４を含むユニットへの電力供給ＯＦＦ処理を考慮した定数の部品が用いられている。詳細は、図４と同様であるので説明は省略する。
【００３７】
上述したように、正常動作しているコントローラ２０１は、２次スイッチ３０７が押下され、スイッチ信号２が入力されると、制御信号２を電源制御部３０１に送ると共に、シャットダウンシーケンスの終了を待って、制御信号１を電源制御部３０１に出力する。なお、コントローラ２０１が暴走状態の場合は、制御信号１、制御信号２は不定状態である。しかし、２次スイッチ３０７が押下されてスイッチ信号３がタイマ回路１に入力されると、コンパレータＩＣ７の[＋]電圧が下がり始め、基準電圧である［−］電圧よりも低くなったときに、トランジスタＴｒ４から「Ｈ」レベルがＯＲ回路ＩＣ８に出力される。よって、コントローラ２０１が暴走し制御信号１が不定状態であっても、ＯＲ回路ＩＣ８から確実に接続信号１が「Ｈ」レベルで出力でき、コントローラ２０１及びエンジン制御部３０４に供給している３．３ＶＢを遮断することができる。
【００３８】
図６は、プリンタ２における電源ＯＦＦ時のタイミングの一例を示すタイミングチャートである。
上述したように、電源制御部３０１は、スイッチ信号１が入力されたタイミングで、スイッチ信号２をコントローラ２０１に送ると共に、スイッチ信号３をタイマ回路１（１０２）、タイマ回路２（１０３）に出力する。
【００３９】
タイマ回路２（１０３）では、図６に示すように、コンパレータＩＣ３の[＋]電圧が下がり始め、基準電圧である［−］電圧よりも低くなったときに、ＡＣ電圧を遮断する信号（接続信号２）が出力され、ＡＣ電圧を遮断する。なお、タイマ回路２のコンデンサＣ１と抵抗器Ｒ２には、タイマ回路２の設定時間がシャットダウン処理にかかる時間よりも短い時間となることを想定した容量や抵抗値が設定されたコンデンサや抵抗器が用いられている。
【００４０】
同様に、タイマ回路１（１０２）では、コンパレータＩＣ７の[＋]電圧が下がり始め、基準電圧である［−］電圧よりも低くなったときに、３．３Ｖ電圧を遮断する信号（接続信号１）が出力され、３．３Ｖを遮断する。なお、タイマ回路１の抵抗器Ｒ７とコンデンサＣ２には、タイマ回路１の設定時間がシャットダウン処理にかかる時間よりも長い時間となることを想定した容量や抵抗値が設定されたコンデンサや抵抗器が用いられている。
【００４１】
以上示したように、本実施例によれば、２次スイッチ３０７をＯＦＦした際の、電源ＯＦＦタイマを複数（ここでは、タイマ回路１、２）持つ構成を有する。このような構成により、コントローラ２０１（ＣＰＵ）が暴走等した状態で、ユーザが２次スイッチ３０７をＯＦＦした場合でも、高圧部への電力の供給を素早く遮断し、他のブロックへの電力の供給を必要な時間だけ待って遮断することができる。
【実施例２】
【００４２】
上記実施例１においては、タイマ回路１（１０２）の時間を、コンデンサＣ２、抵抗器Ｒ７のみで時定数の回路を形成して決定し、遮断時間が一意的に決められる構成について説明した。しかしながら、シャットダウン時間は、使用されているアプリケーション等により異なるため、シャットダウン時間に応じて、遮断時間を変更可能な構成にしても、より利便性の高い効果が得られる。以下、この構成を実施例２として説明する。
【００４３】
図７は、実施例２のタイマ回路１の回路構成の一例を示すブロック図であり、遮断時間を変更可能な回路構成に対応する。なお、図７では、図５に示した実施例１のタイマ回路１と同様の構成については説明を省略し、異なる部分のみ説明する。
【００４４】
図７に示すように、ＤＩＰスイッチ１は、コンデンサＣ３，Ｃ４，Ｃ５の各々のコンデンサの接続のＯＮ／ＯＦＦを行うことができる。すなわち、ＤＩＰスイッチ１により、コンデンサの容量を変更することにより、コンパレータＩＣ７の「＋」の電圧が除々に下がって行く時間を変更制御し、最適な遮断時間に設定することができる。
【００４５】
以上示したように、実施例２によれば、インストールされているアプリケーションのシャットダウン時間に応じて、３．３Ｖの遮断時間を変更することができ、より利便性の高い効果を得ることができる。
【００４６】
なお、上記説明では、タイマ回路１の時定数回路を構成するコンデンサの容量を変更することにより、タイマ回路１の設定時間を変更する構成について説明した。しかし、タイマ回路１の時定数回路を構成する抵抗器の抵抗値を変更することにより、タイマ回路１の設定時間を変更するように構成してもよい。また、タイマ回路１の時定数回路を構成するコンデンサの容量と抵抗器の抵抗値の双方を変更して、タイマ回路１の設定時間を変更するように構成してもよい。なお、抵抗値の変更は、図７に示したように、複数の抵抗器とディップスイッチを用いた方法でもよいし、可変抵抗器を用いた方法でもよい。
【００４７】
なお、上記各実施例では、２次スイッチ３０７をＯＦＦした際の、電源ＯＦＦタイマとして、タイマ回路１（１０２）、タイマ回路２（１０３）を設け、高圧部と、その他のブロックを、時間差で遮断する構成を説明した。しかし、２次スイッチ３０７をＯＦＦした際の、電源ＯＦＦタイマを３つ以上設け、３つ以上のユニットへの電力の供給を、各タイマの個別の設定時間により時間差で遮断するように構成してもよい。
【００４８】
また、上記各実施例では、タイマ回路１、２の例として、コンデンサＣと抵抗器Ｒを用いた時定数の回路により計時を行う構成を示した。しかし、タイマ回路１、２のいずれか又は双方として、タイマＩＣを用いる構成であってもよい。
【００４９】
以上のように、本実施例の画像形成装置は、装置の２次電源側のスイッチをオフした際の、電源オフタイマを複数備える。このような構成により、シャットダウン処理を行うコントローラ２０１が正常に動作しない状態で、ユーザにより２次スイッチ３０７が押下された場合でも、ユニット毎に最適なタイミングで電力の供給を遮断することができる。例えば、高圧部や駆動部等の高圧ユニットへの電力の供給は、シャットダウン処理が終了するより前に素早く遮断することができる。また、コントローラ２０１やエンジン制御部３０４等の制御ユニットへの電力の供給は、シャットダウン処理が終了した後に遮断することができる。
【００５０】
以上、プリンタ等の画像形成装置を例に説明したが、本発明は画像形成装置に限定されるものではなく、画像形成装置以外の情報処理装置にも適用可能である。
【００５１】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００５２】
（他の実施例）
また、本発明は、以下の処理を実行することによっても実現される。即ち、上述した実施例の機能を実現するソフトウェア（プログラム）を、ネットワーク又は各種記憶媒体を介してシステムあるいは装置に供給し、そのシステムあるいは装置のコンピュータ（又はＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００５３】
１０１    スイッチ制御回路
１０２    タイマ回路１
１０３    タイマ回路２
１０４    ３．３Ｖ開閉スイッチ
３０１    電源制御部
３０２    電源部
３０３    高圧電源部
３０４    エンジン制御部
３０５    ＡＣ電圧開閉スイッチ
３０７    ２次スイッチ
【図１】
2015052833.tif 000003
【図２】
2015052833.tif 000004
【図３】
2015052833.tif 000005
【図４】
2015052833.tif 000006
【図５】
2015052833.tif 000007
【図６】
2015052833.tif 000008
【図７】
2015052833.tif 000009